(57)【要約】      （修正有）【課題】木製ミラーフレームの押出応力が除去されるとともに、装着が容易なデコレーションミラーを提供する。【解決手段】デコレーションミラーは、挿入溝１４と、挿入溝の入口を封止可能な封止板１５を含む木製ミラーフレームと、ミラー２１及び背板２２を有するとともに、ミラーと背板の間に設けられる緩衝層２３を更に有し、挿入溝に挿入可能なミラーユニット２と、を含み、木製ミラーフレームは更に覗き窓を含み、覗き窓はミラーの少なくとも一部に対応し、ミラーユニットが挿入溝に挿入されると、緩衝層が圧縮変形する。【選択図】図２
0003224547.tif 000002
【実用新案登録請求の範囲】
【請求項１】
挿入溝と、前記挿入溝の入口を封止可能な封止板を含む木製ミラーフレームと、
ミラー及び背板を有するとともに、前記ミラーと前記背板の間に設けられる緩衝層を更に有し、前記挿入溝に挿入可能であるミラーユニット、を含み、
前記木製ミラーフレームは更に覗き窓を含み、前記覗き窓は前記ミラーの少なくとも一部に対応することを特徴とするデコレーションミラー。
【請求項２】
前記挿入溝と前記ミラーユニットは中間ばめされることを特徴とする請求項１に記載のデコレーションミラー。
【請求項３】
前記緩衝層は、前記ミラーと前記背板の間に接着されることを特徴とする請求項２に記載のデコレーションミラー。
【請求項４】
前記緩衝層は、ソフトパッドであることを特徴とする請求項３に記載のデコレーションミラー。
【請求項５】
更に、前記覗き窓から離間する一面に設けられるスタンドを含み、前記スタンドの一端は前記デコレーションミラーに対し枢動可能であって、前記デコレーションミラーを支持するよう立設可能であることを特徴とする請求項１〜４のいずれか１項に記載のデコレーションミラー。
【請求項６】
前記スタンドは、前記枢動する側の一端寄りに、前記スタンドの枢動角度を規制する回転規制部材を更に有することを特徴とする請求項５に記載のデコレーションミラー。
【請求項７】
前記回転規制部材は、一端が前記木製ミラーフレームに枢結される第１折り畳みロッドと、一端が前記スタンドに枢結される第２折り畳みロッドを含み、前記第１折り畳みロッドと前記第２折り畳みロッドは互いの他端に枢結されることを特徴とする請求項６に記載のデコレーションミラー。
【請求項８】
前記第１折り畳みロッドは、前記枢結側の一端寄りに係合溝を有しており、前記第２折り畳みロッドは、前記係合溝に係入可能な係入片を有し、前記スタンドが最大角度まで回転したとき、前記係入片が前記係合溝に係入することを特徴とする請求項７に記載のデコレーションミラー。
【請求項９】
前記木製ミラーフレームにおける前記覗き窓から離間する一面の上端には、更にフックが設けられていることを特徴とする請求項６〜８のいずれか１項に記載のデコレーションミラー。
【請求項１０】
前記木製ミラーフレームは、前記覗き窓から離間する一面にＵ型の湾曲板を有することを特徴とする請求項９に記載のデコレーションミラー。
【考案の詳細な説明】
【技術分野】
【０００１】
本考案は鏡の分野に関し、具体的には、デコレーションミラーに関する。
【背景技術】
【０００２】
通常、従来技術の木製デコレーションミラーには、（１）鏡の裏面を接着によりミラーフレームに貼り付ける方式、（２）鏡をミラーフレームの後部から装入し、ミラーフレームの背板により鏡を強く押し付ける方式、（３）ミラーフレームの挿入溝を利用して挿入する方式、が用いられている。上記３種類の組み付け方式のうち１つ目と２つ目については、一体性に劣ることが外観から容易に分かってしまう。また、３つ目の方式については、木製のミラーフレームは長期的に使用しているうちに自然と収縮することから、ミラーフレームが鏡本体に対し押出応力を生じ、鏡本体のねじり変形や破損を招来してしまう。
【考案の概要】
【考案が解決しようとする課題】
【０００３】
本考案は、上記の従来技術における瑕疵を解消し、木製ミラーフレームの押出応力が除去されるとともに、装着が容易なデコレーションミラーを提供することを目的とする。
【課題を解決するための手段】
【０００４】
上記の技術的課題を解決するために、本考案は、挿入溝と、前記挿入溝の入口を封止可能な封止板を含む木製ミラーフレームと、ミラー及び背板を有するとともに、前記ミラーと前記背板の間に設けられる緩衝層を更に有し、前記挿入溝に挿入可能であるミラーユニット、を含み、前記木製ミラーフレームは更に覗き窓を含み、前記覗き窓は前記ミラーの少なくとも一部に対応し、前記ミラーユニットが前記挿入溝に挿入されると、前記緩衝層が圧縮変形するデコレーションミラーを提供する。
【０００５】
好ましくは、前記挿入溝と前記ミラーユニットは中間ばめされる。
【０００６】
好ましくは、前記緩衝層は、前記ミラーと前記背板の間に接着される。
【０００７】
好ましくは、前記緩衝層はソフトパッドである。
【０００８】
好ましくは、更に、前記覗き窓から離間する一面に設けられるスタンドを含み、前記スタンドの一端は前記デコレーションミラーに対し枢動可能であって、前記デコレーションミラーを支持するよう立設可能である。
【０００９】
好ましくは、前記スタンドは、前記枢動する側の一端寄りに、前記スタンドの枢動角度を規制する回転規制部材を更に有する。
【００１０】
好ましくは、前記回転規制部材は、一端が前記木製ミラーフレームに枢結される第１折り畳みロッドと、一端が前記スタンドに枢結される第２折り畳みロッドを含み、前記第１折り畳みロッドと前記第２折り畳みロッドは互いの他端に枢結される。
【００１１】
好ましくは、前記第１折り畳みロッドは、前記枢結側の一端寄りに係合溝を有しており、前記第２折り畳みロッドは、前記係合溝に係入可能な係入片を有し、前記スタンドが最大角度まで回転したとき、前記係入片が前記係合溝に係入する。
【００１２】
好ましくは、前記スタンドには更にフックが設けられている。
【００１３】
好ましくは、前記木製ミラーフレームは、前記覗き窓から離間する一面にＵ型の湾曲板を有する。
【考案の効果】
【００１４】
従来技術と比較して、本考案の技術方案は以下の有益な効果を有する。
【００１５】
１．従来製品と比較して、ミラーユニットは、木製ミラーフレームの挿入溝から挿入及び装着され、封止される。よって、従来製品の場合には、ミラーユニットが正面から接着されることから、抜け落ちた場合に使用者の身体を傷付けるとの欠陥が解消される。
【００１６】
２．ミラーユニットのミラーと背板の間の緩衝層によって、従来製品の構造における裏面から装入する方式や挿入溝へ装入する方式のように、木製ミラーフレームの収縮によってミラーと背板の間に押出応力が発生する結果、鏡像が歪むとの事態が緩和される。更に、緩衝層を有することから、装着における組み合わせ精度を向上させられるため、鏡がフレーム内で強く衝突するとの事態が回避される。
【００１７】
３．底の開口がしっかりと封止されるため、製品の見た目に影響することがなく、且つ、鏡を支持するとの役割を発揮可能となる。
【００１８】
４．デコレーションミラーの背面板にＵ型の湾曲板が設けられているため、タオルやネクタイといった小物類を掛けることが可能であり、使用機能が増加する。
【００１９】
５．木製ミラーフレームとスタンドを回転規制部材で接続し、スタンドと回転規制部材の接続箇所に遮断片を追加しているため、回転規制部材の逆方向への屈曲が防止される。
【００２０】
６．木製ミラーフレームの背面板にフックが装着されているため、スタンドを収納した後にロッドフレームや壁に掛けることができ、ユーザエクスペリエンスが高まる。
【図面の簡単な説明】
【００２１】
【図１】図１は、本考案の好ましい実施例におけるデコレーションミラーの斜視図である。
【図２】図２は、本考案の好ましい実施例におけるミラーユニットと木製ミラーフレームの部分分解図である。
【図３】図３は、本考案の好ましい実施例におけるデコレーションミラーの部分断面図である。
【図４】図４は、本考案の好ましい実施例におけるデコレーションミラーの背部の斜視図である。
【図５】図５は、本考案の好ましい実施例におけるデコレーションミラーの背部の分解図である。
【図６】図６は、本考案の好ましい実施例における回転規制部材の展開時の部分拡大図である。
【図７】図７は、本考案の好ましい実施例における回転規制部材の収納時の部分拡大図である。
【考案を実施するための形態】
【００２２】
以下に、図面と具体的実施形態を組み合わせて本考案につき更に説明する。
【００２３】
下記で図面の記載に用いる何らかの方向を示す用語、例えば、「内」、「外」、「上方」、「下方」やその他の方向を示す用語は、通常の意味を有するとともに、図面を通常見る際に言及される方向と解釈される。また、別途明示する場合を除き、本明細書で記載する方向を示す用語は、基本的に当業者が理解する一般的な方向に準じる。
【００２４】
本考案において使用される「第１」、「１つ目の」「第２」、「２つ目の」、及びこれらに類似する用語は、本考案において何らかの順序や数量又は重要性を示すものではなく、ある部材とその他の部材とを区別するためのものである。
【００２５】
具体的に、図１〜７を参照して、デコレーションミラー１００は木製ミラーフレーム１を含む。前記木製ミラーフレーム１は扁平状の直方体をなしており、長辺の長さが短辺の長さの５〜６倍となっている。前記木製ミラーフレーム１は、扁平面をなす正面板１１と背面板１２を備える。前記正面板１１には、前記木製ミラーフレーム１の輪郭に対応して内側に窪む覗き窓１３が開設されている。
【００２６】
前記木製ミラーフレーム１は、一方の短辺に開設されて他方の短辺まで延伸する挿入溝１４を更に含む。前記挿入溝１４は長尺状のメクラ穴であって、輪郭が前記木製ミラーフレーム１の短辺の輪郭に対応して内側に窪んでいる。更に、前記挿入溝１４の入口には、前記入口を封止する封止板１５が設けられている。前記封止板１５は、ボルトによって背面板１２に緊締されている。
【００２７】
更に、前記デコレーションミラー１００は、前記挿入溝１４に挿入可能なミラーユニット２を含む。前記ミラーユニット２は、ミラー２１と背板２２を含む。更に、前記ミラーユニット２は、前記ミラー２１と前記背板２２の間に設けられる緩衝層２３を含む。
【００２８】
前記ミラーユニット２は３層構造に分割される。前記ミラーユニット２は扁平状をなしており、且つ、横断面のサイズが前記挿入溝１４の横断面のサイズに対応している。前記ミラーユニット２の厚さ方向のサイズと前記挿入溝１４の入口の厚さ方向のサイズは中間ばめとする。ミラーユニット２の厚さ方向のサイズが前記挿入溝１４の入口の厚さ方向のサイズよりも大きい場合、前記ミラーユニット２が前記挿入溝１４に挿入されると、前記緩衝層２３が圧縮変形可能なことから、前記木製ミラーフレーム１内における前記ミラーユニット２の衝突が回避される。前記ミラーユニット２が前記挿入溝１４に完全に装入されると、前記覗き窓１３が前記ミラー２１の少なくとも一部に対応する。そして、前記封止板１５により前記挿入溝１４の入口を封止する。その後の使用過程では、木を材質とするミラーフレームにサイズ収縮現象が発生し得る。そのため、前記挿入溝１４の厚さ方向のサイズが徐々に縮小し、前記木製ミラーフレーム１の前記正面板１１と前記背面板１２が前記ミラーユニット２に対し押出応力を生じる。しかし、前記緩衝層２３が圧縮変形可能なことから、前記ミラー２１が前記背板２２に対し近接することで、前記ミラーユニット２の湾曲や破損、鏡像の歪みといった現象が回避される。本実施例において、前記緩衝層２３は、前記背板２２と前記ミラー２１の間に接着されるソフトパッドである。また、簡単な置き換えとして、前記緩衝層２３は、接着することなく前記背板２２と前記ミラー２１の間にそのまま配置してもよい。なお、前記緩衝層２３は前記背板２２と前記ミラー２１の間を完全に充填する必要はなく、前記木製ミラーフレーム１にサイズの収縮が生じた場合に、前記ミラーユニット２に湾曲や破損、鏡像の歪み等の現象が発生しないよう設ければよい。例えば、前記木製ミラーフレーム１における前記ミラーユニット２との圧迫点に設ければよい。また、簡単な置き換えとして、ソフトパッドを使用することなく、その他の圧縮変形可能な材質を使用してもよい。ひいては、前記背板２２と前記ミラー２１の間に離散的に固設されるバネピンを使用してもよく、前記背板２２と前記ミラー２１が圧力を受けたときに相対的に移動可能であればよい。
【００２９】
更に、前記デコレーションミラー１００は、前記覗き窓１３から離間する一面に設けられるスタンド３を含む。即ち、前記スタンド３は前記背面板１２に設けられる。前記スタンド３の一端は前記デコレーションミラー１００に対し枢動可能であって、前記デコレーションミラー１００を支持するよう立設可能である。前記スタンド３は扁平状の長方形の板であり、一端がヒンジにより前記背面板１２に枢結される。この枢動する一端は、前記挿入溝１４の入口から離間する側に設けられる。前記スタンド３が展開及び枢動して前記デコレーションミラー１００を支持するよう立設するとき、前記挿入溝１４が位置する短辺は支持面に支持されるため、封止板１５等の構造がユーザに見えることがなく、一体性が良好となる。
【００３０】
図４〜６を参照して、前記スタンド３は、前記枢動する側の一端寄りに、前記スタンド３の枢動角度を規制する回転規制部材３１を更に有している。前記回転規制部材３１は、一端が前記木製ミラーフレーム１に枢結される第１折り畳みロッド１３１と、一端が前記スタンド３に枢結される第２折り畳みロッド１３３を含む。また、前記第１折り畳みロッド１３１と前記第２折り畳みロッド１３３は、互いの他端に枢結される。前記第１折り畳みロッド１３１は、枢結側の一端寄りに係合溝１３２を有しており、前記第２折り畳みロッド１３３は、前記係合溝１３２に係入可能な係入片１３４を有する。前記スタンド３が最大角度まで回転したとき、前記係入片１３４が前記係合溝１３２に係入する。図７を参照して、前記スタンド３を収納する際には、前記第１折り畳みロッド１３１における前記木製ミラーフレーム１に枢結される枢動端と前記第２折り畳みロッド１３３における前記スタンド３に枢結される枢動端が重なり合うことから、前記第１折り畳みロッド１３１と前記第２折り畳みロッド１３３が一体的に合わさって回動する。しかし、前記スタンド３を再度展開する場合には、前記スタンド３の展開が係止される恐れがある。この問題を解決するために、前記回転規制部材３１は、前記スタンド３に固設される遮断片１３５を更に含む。前記遮断片１３５はシート状構造をなしており、前記第１折り畳みロッド１３１と前記第２折り畳みロッド１３３が立ち上がって上方を向く際の外側への回動経路を遮断する。
【００３１】
更に、前記デコレーションミラー１００は、前記覗き窓１３から離間する一面に設けられるＵ型の湾曲板４を含む。即ち、前記Ｕ型の湾曲板４は前記背面板１２に設けられる。前記背面板１２は、前記スタンド３の上方に設けられるとともに前記木製ミラーフレーム１の短辺方向に延伸する装着溝１２１を備える。前記Ｕ型の湾曲板４は、前記装着溝１２１の形状に対応して装入可能な装着材４１を備える。更に、前記Ｕ型の湾曲板４は、前記装着材４１の長さ方向の両端から接続されるＵ型フレーム４２を備える。前記装着材４１を前記装着溝１２１に装入する際に、前記Ｕ型の湾曲板４はボルトにより前記背面板１２に固定される。ユーザは、タオル、ネクタイ等の小物類を前記Ｕ型の湾曲板４に掛けることが可能である。
【００３２】
前記木製ミラーフレーム１の背面板１２の上端には、フック１６が更に設けられている。前記フック１６は金属製であり、ボルトによって前記背面板１２に固設される。ユーザは、前記スタンド３を収納した後、フック１６により前記デコレーションミラー１００を壁やロッドフレーム等の構造に掛けることが可能である。
【００３３】
以上は本考案の好ましい具体的実施形態にすぎず、本考案の設計思想はこれに限定されない。当業者が本考案で開示した技術の範囲内において当該思想を用いて本考案につき実施する実質的でない変更は、いずれも本考案の保護の範囲に対する侵害行為に属する。
【図１】
0003224547.tif 000003
【図２】
0003224547.tif 000004
【図３】
0003224547.tif 000005
【図４】
0003224547.tif 000006
【図５】
0003224547.tif 000007
【図６】
0003224547.tif 000008
【図７】
0003224547.tif 000009